(57)【特許請求の範囲】
【請求項１】
リッツ線を円心円状に巻いて形成される加熱コイルと、前記加熱コイルから発生する電磁誘導ノイズの漏れを制限する複数のフェライトと、前記加熱コイルを保持する絶縁性の樹脂から成り略直方体又は略立方体の形状を有し、その側面部に貫通した埋め込み穴を設けて前記フェライトを挿着する複数の保持台と、略正方形の中心から放射状に複数の平坦な棒状のリブを形成し前記加熱コイルの径によって定まる前記リブの位置に前記保持台を接着する支持台と、を備えたことを特徴とする電磁誘導加熱調理器の加熱コイルユニット。
【請求項２】
前記支持台は、中心から放射状に４本から１０本のリブを形成し、前記各リブの上面にスライド機構を設け、前記スライド機構に前記保持台を載置して前記加熱コイルの径の増減に応じて定まる位置に前記保持台をスライドすること、を特徴とする請求項１記載の電磁誘導加熱調理器の加熱コイルユニット。
【発明の詳細な説明】
【技術分野】
【０００１】
本発明は、電磁誘導加熱調理器の加熱コイルユニットに関するものである。
【背景技術】
【０００２】
一般に、電磁誘導加熱調理器において、ポット、鍋、フライパン等の各種の調理器具の被加熱面となる底面が略円形を形成しているので、通常、その底面の形状を沿うように略円形の加熱コイルユニットが広く使用されている。
【０００３】
従来の加熱コイルユニットの構成を図６、図７及び図８を用いて説明する。
図７に示すように、リッツ線５を円心円状に巻いて形成された加熱子コイル１は、図６に絶縁板７の上面に載置され、絶縁板７はフェノール樹脂系で、絶縁性の耐熱樹脂成型品の支持台９上にピン等で位置決めされた複数（例えば、４個）の保持台８によって支持されている。
【０００４】
図７及び図８に示す保持台８は、加熱コイルからの下方への磁力線を吸収する略直方体のフェライト４の周囲を囲うように嵌入して位置決めし、加熱コイル１との位置関係を一定に保っている。
【０００５】
このように、従来の電磁誘導加熱調理器の加熱コイル１は、調理器具の底面の形状に合致するように略円形の加熱コイル１が形成されることから、この形状に合わせて、加熱コイル１を載置する絶縁板７の形状を決定している。
【０００６】
しかし、業務用の調理器として使用する電磁誘導加熱調理器では、一般家庭用のものと比べると出荷台数が少なく、使用する調理器具の底面の形状に応じて、絶縁板７の形状、保持台８の取り付位置の変更を行うと、変更のための工数が大幅に増加するという不具合が生じる。
【０００７】
特許文献１に記載された電磁誘導加熱調理器では、上述に示す加熱コイルユニットの構成が記載されている。
【先行技術文献】
【特許文献】
【０００８】
【特許文献１】特開２００７−１５７６１４号公報
【発明の概要】
【発明が解決しようとする課題】
【０００９】
販売台数が少ない業務用の電磁誘導加熱調理器において、加熱するポット、鍋、フライパン等の調理器の底面の寸法に応じた形状の絶縁板、支持台等を使用すると、寸法の異なる絶縁板、支持台等を個別に製作する必要があり製作コストがかかる。特に、加熱コイルと同等以上の面積を必要とする絶縁板（コイルプレート）は高価であり、個々の要求に応じて形状を変更するとコストが大幅に増加する。
さらに、フェライトの周囲を囲うように嵌入して位置決めする支持台では、加熱コイルのコイル径の変化に応じてフェライトを加熱コイルの下側の最適な位置に載置できないので、加熱コイルで発生する電磁誘導ノイズからインバータ部等の電子部品を保護できない。
【００１０】
そこで、本発明では、使用する調理器の底面の形状に応じた絶縁板、支持台を作成しても製作コストの増加を抑制できる加熱コイルユニットを提供することを目的とする。
【課題を解決するための手段】
【００１１】
上述した課題を解決するために、請求項１の発明は、リッツ線を円心円状に巻いて形成される加熱コイルと、前記加熱コイルから発生する電磁誘導ノイズの漏れを制限する複数のフェライトと、前記加熱コイルを保持する絶縁性の樹脂から成り略直方体又は略立方体の形状を有し、その側面部に貫通した埋め込み穴を設けて前記フェライトを挿着する複数の保持台と、略正方形の中心から放射状に複数の平坦な棒状のリブを形成し前記加熱コイルの径によって定まる前記リブの位置に前記保持台を接着する支持台と、を備えたことを特徴とする電磁誘導加熱調理器の加熱コイルユニットである。
【００１２】
請求項２の発明は、前記支持台は、中心から放射状に４本から１０本のリブを形成し、前記各リブの上面にスライド機構を設け、前記スライド機構に前記保持台を載置して前記加熱コイルの径の増減に応じて定まる位置に前記保持台をスライドすること、を特徴とする請求項１記載の電磁誘導加熱調理器の加熱コイルユニットである。
【発明の効果】
【００１３】
本発明の請求項１によれば、加熱コイルを支持する絶縁板を使用せず、フェライトを内蔵した複数の保持台で加熱コイルを支持するので、調理器の底面の寸法に応じた形状の絶縁板、支持台等を製作する必要がなくなる。さらに、加熱コイルと同等以上の面積を必要とする絶縁板（コイルプレート）を使用しないので、コストが大幅に減少する。
【００１４】
本発明の請求項２は、請求項１の効果に加えて、加熱コイルのコイル径に応じてフェライトを加熱コイルの下側の最適な位置に載置できるので、加熱コイルより発生する電磁誘導ノイズからインバータ部等の電子部品を保護できる。
【図面の簡単な説明】
【００１５】
【図１】本発明の実施形態１に係る電磁誘導加熱調理器の加熱コイルユニットの断面            図である。
【図２】図１に示す加熱コイルユニットの平面図である。
【図３】図１に示す保持台の詳細図である。
【図４】図１に示す支持台の詳細図である。
【図５】実施形態２に係る加熱コイルユニットの平面図である。
【図６】従来技術の加熱コイルユニットの断面図である。
【図７】図６に示す加熱コイルユニットの平面図である。
【図８】従来技術の支持台の詳細図である。
【発明を実施するための形態】
【００１６】
「実施の形態１」
図１は本発明の実施の形態１における電磁誘導加熱調理器の加熱コイルユニットの断面であり、図２は平面図である。
【００１７】
図１に示す加熱コイルユニットは、非磁性金属製（例えば、アルミニウム板）からなる支持台２を具備し、この支持台２は、図４に示す平面図視で略正方形に形成されており、その中心から放射状に複数箇所（例えば、８箇所）にわたって平坦な棒状のリブ１０が形成されると共に、各リブ１０の間は軽量化および材料節約のために、略扇状の切欠穴１１が形成されている。
【００１８】
図３に示す保持台３は、絶縁性のフェノール樹脂系から成り略直方体又は略立方体の形状を有し、その側面部に貫通した埋め込み穴６を設けて平坦な棒状のフェライト４を埋め込み穴６に挿着し、シリコン系の接着剤で固定する。また、１個の保持台３に１個のフェライト４を挿着しているが、インバータ回路とのマッチングのためにインダクタンスを大きくしたいとき、１個の保持台７に複数個のフェライト４を挿着できるようにしてもよい。
【００１９】
図２に示すリブ１０（例えば  ８箇所）に、電磁誘導ノイズの外部漏れを制限するために平坦な棒状のフェライト４を挿着した保持台３を、加熱コイル１の径によって定まる各リブ１０の位置に保持台３を接着する。そして、８個の保持台３の上面にリッツ線を円心円状に巻いて形成される加熱コイル１を載置する。この場合の加熱コイル１としては、高周波域での表皮効果を低減させるリッツ線が適用される。さらに、図示省略しているが、保持台３と加熱コイル１の間などには、加熱コイル１が位置ずれするのを防止するために接着固定用のシリコン樹脂が塗布される。
【００２０】
コイル径が小さい加熱コイル１を保持台３に搭載する場合、
加熱コイル１の巻き付け回数が少なくなるが、このときコイル径の減少に応じて図２に示すリブ１０の上面に設けられた保持台３を支持台２の中心方向に移動させることで、加熱コイル１で発生する電磁誘導ノイズの外部漏れを制限できる最適な位置に保持台３をリブ１０に設置できる。
【００２１】
逆に、コイル径が大きい加熱コイル１を保持台３に搭載する場合、
加熱コイル１の巻き付け回数が多くなるので、このときコイル径の増大に応じて図２に示すリブ１０の上面に設けられた保持台３を支持台２の外側方向に移動させることで、加熱コイル１で発生する電磁誘導ノイズの外部漏れを制限できる最適な位置に保持台３をリブ１０に設置できる。
【００２２】
このとき、支持台２の各リブの上面にスライド機構を設け、このスライド機構に保持台３を載置し、コイル径の増減に応じて定まる位置に保持台３をスライドしてもよい。そして、加熱コイル１の位置ずれが生じないように、その表面にシリコン樹脂等を塗布し８個の保持台３の上面に接着する。
【００２３】
上述より、加熱コイル１を支持する絶縁板を使用せずに複数の保持台３のみで加熱コイル１を保持するので、調理器の底面の寸法に応じた絶縁板、支持台等を個別に製作する必要がなくなる。さらに、加熱コイルと同等以上の面積を必要とする高価な絶縁板を使用しなくて済み、コストが大幅に減少する。
【００２４】
そして、保持台３はフェライト４を内蔵しているので、支持台２のリブ１０の最適な位置に保持台３を載置して加熱コイル１を保持することで、加熱コイル１から発生する電磁誘導ノイズからインバータ部等の電子部品を保護できる。
【００２５】
さらに、支持台２は、中心から放射状に４本から１０本の平坦な棒状のリブを形成し、加熱コイルの径に応じてリブの本数を決定してもよい。
【００２６】
「実施の形態２」
図５は、本発明の実施の形態２における加熱コイルユニットを構成する平面図であり、図１ないし図４と同一符号は同一機能を有するので説明は省略し、相違する符号についてのみ説明する。
【００２７】
図５に示すリブ１０（例えば  ８箇所）に、磁束の外部漏れを制限するために平坦な棒状のフェライト４を挿着した保持台３をリブ１０の上面に接着等によって所定の位置に固定する。そして、８個の保持台３の上面にリッツ線を円心円状に巻いて形成される加熱コイル１を載置する。この場合の加熱コイル１としては、高周波域での表皮効果を低減させるリッツ線が適用される。さらに、図示していないが、保持台３と加熱コイル１の間などには、加熱コイル１が位置ずれを防止するために接着固定用のシリコン樹脂が塗布される。
【００２８】
コイル径が楕円状を形成する加熱コイル１を保持台３に搭載する場合、
図５に示す、加熱コイル１の長辺側では、保持台３を支持台２の外側方向の最適な位置に移動させ、加熱コイル１の短辺側では、保持台３を支持台２の中心方向の最適な位置に移動させることで、加熱コイル１からて発生する磁束ノイズの外部漏れを制限する最適な位置に保持台３をリブ１０に載置できる。
【００２９】
そして、加熱コイル１の位置ずれが生じないように、その表面にシリコン樹脂等を塗布し保持台３に接着する。
【００３０】
上述より、楕円形に巻装された形状の異なる加熱コイル１でも、複数の保持台のみで加熱コイルを保持できるので、加熱コイルと同等以上の面積を必要とする高価な絶縁板を使用しなくて済み、コストが大幅に減少する。
【００３１】
また、本発明は、図１ないし図５に示した構成のものに限定されるものではなく、その趣旨を逸脱しない範囲内において各種の変形を加えることができる。例えば、実施の形態１、２では保持台３を平面視で略正方形としたが、このような形状に限らず、例えば、六角形、八角形又は十角形のように多角形にしてもよい。
【符号の説明】
【００３２】
１      加熱コイル
２      支持台
３      保持台
４      フェライト
５      リッツ線
６      埋め込み穴
７      絶縁板
８      保持台
９      支持台
１０    リブ
１１    切欠穴
【図１】
0005662736.tif 000002
【図２】
0005662736.tif 000003
【図３】
0005662736.tif 000004
【図４】
0005662736.tif 000005
【図５】
0005662736.tif 000006
【図６】
0005662736.tif 000007
【図７】
0005662736.tif 000008
【図８】
0005662736.tif 000009